(57)【特許請求の範囲】
【請求項１】
構成素子を実装した基板を収容するためのハウジング（５００）であって、
第１の底部（１０２）及び第１の側壁（１０３）を備えた第１のハウジング部分（１０１）と、第２の底部（３０２）及び第２の側壁（３０３）とを備えた第２のハウジング部分（３０１）とを有しており、前記第１及び第２の側壁（１０３，３０３）がそれぞれ、前記第１及び第２の底部（１０２，３０２）の周囲を少なくとも部分的に巡って配置され、
前記第１のハウジング部分（１０１）が互いに向き合う２つの角隅部の領域に、前記第１の側壁（１０３）を越えて延在する係止突起（１０４）をそれぞれ有し、該係止突起（１０４）が前記第１の側壁（１０３）内に一体的に組み込まれ、
前記第２のハウジング部分（３０１）が互いに向き合う２つの角隅部の領域に係止切欠（３０４）をそれぞれ有し、
前記第１及び第２のハウジング部分（１０１，３０１）が組み立てられた状態で、前記係止突起（１０４）が前記係止切欠（３０４）内に係止係合し、前記ハウジング（５００）の２つの角隅部の領域に、ほぼ円形に内方に湾曲する側壁を形成することを特徴とするハウジング。
【請求項２】
第１の底部（１０２）又は第２の底部（３０２）が角隅部の領域に組立ガイド（１０５）を有している、請求項１記載のハウジング。
【請求項３】
少なくとも１つの側壁（１０３）の高さが部分的に増大されている、請求項１又は２記載のハウジング。
【請求項４】
部分的に高さが増大されている前記側壁に対応配置された少なくとも１つの側壁（３０３）の高さが、相応に部分的に低下されている、請求項３記載のハウジング。
【請求項５】
少なくとも１つの側壁（１０３，３０３）が、０．５ｍｍ乃至２ｍｍの範囲の壁厚を有している、請求項１から４までのいずれか１項記載のハウジング。
【請求項６】
第１のハウジング部分（１０１）と第２のハウジング部分（３０１）とが、嵌合可能に相互に係合し合うように、構成されている、請求項１から５までのいずれか１項記載のハウジング。
【請求項７】
請求項１から６までのいずれか１項記載のハウジングを組み立てるための方法において、２つのハウジング部分（１０１，３０１）を上下にほぼ平行な状態から組み立てることを特徴とする、方法。
【発明の詳細な説明】
【技術分野】
【０００１】
本発明は、ハウジング及び、ハウジングを組み立てるための方法、並びに該ハウジングのための組立装置に関する。
【０００２】
電子式の抵抗器は、多くの場合、ハウジング特にプラスチックハウジング内に配置されている。このハウジングは、係止式の閉鎖機構を有している。例えば、２分割されたハウジングを係止させて組み立てることは公知である。
【０００３】
この場合、ハウジングの係止式の閉鎖機構若しくは係止式の組立は、ハウジング内に配置された基板に悪影響を及ぼす。従って、係止式の閉鎖機構は多くの場合、基板によって又は基板上に設けられた構成素子によって塞がれないスペースを必要とする。また組み立てる際には、ハウジング部分を一時的に曲げることによって、基板のために若しくは基板上に設けられた構成素子のために十分なスペースを提供するか、又は基板をハウジング部分と一緒に曲げる必要がある。これは、構成素子にとって機能上問題がある（例えば構成部分に力が作用すると、導体路若しくははんだ箇所が破損する危険がある）。
【０００４】
本発明の課題は、特に第２のハウジング部分に係止係合するように構成された第１のハウジング部分を有するハウジングのための、前記欠点を取り除くことができるような効果的な可能性を提供する点にある。
【０００５】
この課題を解決した本発明は、独立請求項に記載した特徴によって解決された。本発明のその他の実施態様は、従属請求項に記載されている。
【０００６】
前記課題を解決した本発明による、基板を収容するためのハウジングによれば、
第１の底部及び第１の側壁を備えた第１のハウジング部分と、第２の底部及び第２の側壁を備えた第２のハウジング部分とを有しており、
前記第１のハウジング部分が少なくとも１つの角隅部の領域に、前記第１の側壁を越えて延在する係止突起を有しており、
前記第１のハウジング部分が少なくとも１つの角隅部の領域に係止切欠を有している。
【０００７】
この場合、基板は、電子素子又はその他の素子のためのそれぞれのキャリアエレメントを構成している。特に、基板は、例えば電子回路のためのプリント基板である。
【０００８】
側壁は、特に一体的に環状に構成されている。しかしながら側壁は、場合によっては互いに分離された複数の側壁区分を有していてもよい。
【０００９】
本発明によれば、特に、係止機構又は閉鎖機構を、基板にとって問題ない箇所に設けることができ、ひいては、ハウジング部分を組み立てる際に、基板に力が作用することはない、という利点を有している。また、このように係止機構又は閉鎖機構によって、ハウジング内に提供された構造スペースを有効に利用することができる。これによって最小のハウジング構造寸法を、経済的で安価な製造費用で製作することができる。
【００１０】
特に、係止突起及び係止切欠を、基板が存在する平面とは異なる平面に配置することができる。これによって、基板、並びに基板の可能な構成素子（構成部分）が、係止突起と係止切欠とから成る係止機構の影響を受けることがない、という利点が得られる。従って、ハウジング部分を組み立てる際に、基板に力が加えられることはない。
【００１１】
特に、基板の縁部にまで構成部分（例えば高い寸法の電解コンデンサ）を実装することができ、しかも、例えば固定の前にハウジング部分を相応に曲げることによって、ハウジング内の追加的な構造スペースを得るようにする必要はない。従って、ハウジング部分の組立時に、基板の縁部に配置された構成部分に、例えば基板上の導体路が剥がされるような力が作用することはない。
【００１２】
本発明の実施態様によれば、係止突起が前記第１の側壁内に一体的に組み込まれている。
【００１３】
本発明の別の実施態様によれば、第１及び第２の側壁がそれぞれ、第１及び第２の底部の周囲を少なくとも部分的に巡って配置されている。
【００１４】
別の実施態様によれば、特に第１及び第２のハウジング部分が組み立てられた状態で、係止突起が係止切欠内に係止係合するようになっている。
【００１５】
別の実施態様によれば、互いに向き合う２つの角隅部の領域において、第１のハウジング部分がそれぞれ１つの係止突起を有していて、第２のハウジング部分がそれぞれ１つの係止切欠を有している。
【００１６】
別の実施態様によれば、前記基板が、構成素子を実装した基板である。
【００１７】
特に、基板は、ランプ及び／又は照明手段を制御するための回路を有している。例えば回路は電子式の抵抗器を有している。
【００１８】
別の実施態様によれば、ハウジングの少なくとも１つの角隅部の領域に、ほぼ円形に内方に湾曲する側壁が設けられている。
【００１９】
別の実施態様によれば、第１の底部又は第２の底部が角隅部の領域に組立ガイドを有している。
【００２０】
組立ガイドは、固定手段を収容するように構成されている。例えば、組立ガイドによってハウジングが固定される。
【００２１】
少なくとも１つの側壁の高さが部分的に増大されている。
【００２２】
選択的な実施態様によれば、部分的に高さが増大されている前記側壁に対応配置された少なくとも１つの側壁の高さが、相応に部分的に低下されている。
【００２３】
次の実施態様によれば、少なくとも１つの側壁が、０．５ｍｍ乃至２ｍｍの範囲の壁厚を有している。
【００２４】
特に、それぞれの側壁は、０．６５ｍｍ乃至１．５ｍｍの範囲の壁厚を有している。
【００２５】
また別の実施態様によれば、ハウジングが少なくとも部分的にタロロン（Tarolon）より成っている。
【００２６】
特に、ハウジングは少なくとも部分的にプラスチックより成っていてよい。
【００２７】
別の実施態様によれば、第１のハウジング部分と第２のハウジング部分とが、嵌合可能に相互に係合し合うように、構成されている。
【００２８】
前記課題を解決した、ハウジングを組み立てるための方法によれば、２つのハウジング部分をほぼ真っ直ぐに直立して組み立てることを特徴としている。
【００２９】
特に、２つのハウジング部分は圧縮される。組立時に、２つのハウジング部分は、互いに上下に真っ直ぐに直立させて設置するか又は差し込むか又は押圧することができる。例えば、少なくとも１つの係止突起を少なくとも１つの係止切欠に係止させる組立ガイドが設けられている。
【００３０】
前記課題は、ハウジング、特にハウジング部分を組み立てるための組立装置によって解決された。
【００３１】
本発明の実施例を以下に図面を用いて説明する。
【図面の簡単な説明】
【００３２】
【図１】第１のハウジング部分の等角投影図である。
【図２Ａ】第１のハウジング部分の第１の側面図である。
【図２Ｂ】第１のハウジング部分の第２の側面図である。
【図２Ｃ】第１のハウジング部分の内部の平面図である。
【図３】第２のハウジング部分の等角投影図である。
【図４Ａ】第２のハウジング部分の内部の平面図である。
【図４Ｂ】第２のハウジング部分の第１の側面図である。
【図４Ｃ】第２のハウジング部分の第２の側面図である。
【図５】第１のハウジング部分と第２のハウジング部分とを有する、組み立てたハウジングの等角投影図である。
【００３３】
以下にハウジング若しくはハウジングの構成部分の例を示す。
【００３４】
図１に示した第１のハウジング部分１０１は、１つの底部１０２と、該底部１０２の周囲を巡って設けられた１つの側壁１０３と、ハウジング部分１０１の対角線上で互いに向き合う角隅部に配置された２つの係止突起１０４とを有している。
【００３５】
さらに図１は、第１のハウジング部分１０１（若しくは組立完成されたハウジング）を支持体（図示せず）上に固定するための組立ガイド１０５を示す。このような形式の固定は、支持体上に例えばねじを用いて行われる。
【００３６】
図２Ａは、第１のハウジング部分１０１の長手方向に対して直交する横方向から見た側面図を示し、図２Ｂは、第１のハウジング部分１０１の長手方向から見た端面図を示し、図２Ｃは、第１のハウジング部分１０１の平面図を示す。
【００３７】
図３に示した第２のハウジング部分３０１は、１つの底部３０２と、該底部３０２の周囲を巡って設けられた１つの側壁３０３と、第２のハウジング部分３０１の対角線上で互いに向き合う角隅部に配置された２つの係止切欠３０４とを有している。
【００３８】
係止切欠３０４内に、図１、図２Ａ乃至図２Ｃに示した係止突起１０４が係止することができる。
【００３９】
図４Ａは、第２のハウジング部分３０１を示し、図４Ｂは、第２のハウジング部分３０１の長手方向に対して直交する横方向から見た側面図を示し、図４Ｃは、第２のハウジング部分３０１の長手方向から見た端面図を示す。
【００４０】
図５は、第１のハウジング部分１０１と第２のハウジング部分３０１とを有するハウジング５００の等角投影図を示す。図５には、組立状態で、係止突起１０４が係止切欠３０４内にどのように係止するかが示されている。有利な形式で、第１のハウジング部分１０１は第２のハウジング部分３０１と解除不能に結合されている。選択的に、ハウジング部分１０１，３０１は、解除可能に結合されていてもよい。
【符号の説明】
【００４１】
１０１  ハウジング部分、  １０２  （第１のハウジング部分の）底部、  １０３  （第１のハウジング部分の）側壁、  １０４  （第１のハウジング部分の）係止突起、  １０５  組立ガイド、  ３０１  第２のハウジング部分、  ３０２  （第２のハウジング部分の）底部、  ３０３  （第２のハウジング部分の）側壁、  ３０４  （第２のハウジング部分の）係止切欠、  ５００  ハウジング
【図１】
0005762296.tif 000002
【図２Ａ】
0005762296.tif 000003
【図２Ｂ】
0005762296.tif 000004
【図２Ｃ】
0005762296.tif 000005
【図３】
0005762296.tif 000006
【図４Ａ】
0005762296.tif 000007
【図４Ｂ】
0005762296.tif 000008
【図４Ｃ】
0005762296.tif 000009
【図５】
0005762296.tif 000010